(57)【要約】【課題】  画像形成装置が各種製本処理部と当該各種製本処理部に対応して配設されて製本処理のために記録媒体を待機させる各ストック部を有する単一又は複数連結された製本装置と連結される場合に、プリントジョブのより効率的な割り込み技術を提供する。【解決手段】  製本内容及び割込要求を包含可能な複数のプリントジョブを管理する場合に、管理するプリントジョブに割込要求が包含されていると、この割込要求が包含されたプリントジョブの製本内容と処理実行中のプリントジョブの製本内容が同一か否かを判断する。双方の製本内容が異なっている場合、前記処理実行中のプリントジョブの処理を直ちに停止させて前記割込要求が包含されたプリントジョブを割り込み処理させる。双方の製本内容が同一の場合、前記処理実行中のプリントジョブを部の区切りで停止させて前記割込要求が包含されたプリントジョブを割り込み処理させる。【選択図】  図５
2008006629.tif 000002
【特許請求の範囲】
【請求項１】
各種製本処理部と当該各種製本処理部に対応して配設されて製本処理のために記録媒体を待機させる各ストック部を有する単一又は複数連結された製本装置と連結される画像形成装置であって、
製本内容及び割込要求を包含可能な複数のプリントジョブを管理する管理手段と、
管理するプリントジョブに割込要求が包含されていると、この割込要求が包含されたプリントジョブの製本内容と処理実行中のプリントジョブの製本内容が同一か否かを判断する判断手段と、
双方の製本内容が異なっている場合、前記処理実行中のプリントジョブの処理を直ちに停止させて前記割込要求が包含されたプリントジョブを割り込み処理させ、双方の製本内容が同一の場合、前記処理実行中のプリントジョブを部の区切りで停止させて前記割込要求が包含されたプリントジョブを割り込み処理させるプリント制御手段と、
を備えること、
を特徴とする画像形成装置。
【請求項２】
各種製本処理部と当該各種製本処理部に対応して配設されて製本処理のために記録媒体を待機させる各ストック部を有する単一又は複数連結された製本装置と連結される画像形成装置であって、
製本内容及び緊急割込み要求又は通常割込要求を包含可能な複数のプリントジョブを管理する管理手段と、
管理するプリントジョブに通常割込要求が包含されていると、この割込要求が包含されたプリントジョブの製本内容と処理実行中のプリントジョブの製本内容が同一か否かを判断する判断手段と、
前記プリントジョブに基づく印刷を制御するプリント制御手段と、
を備え、
前記プリント制御手段は、
前記割込要求が通常割込要求であって前記判断手段が双方の製本内容が異なっていると判断した場合には、前記処理実行中のプリントジョブの処理を直ちに停止させて前記通常割込要求が包含されたプリントジョブを割り込み処理させ、
前記割込要求が通常割込要求であって前記判断手段が双方の製本内容が同一であると判断した場合には、前記処理実行中のプリントジョブを部の区切りで停止させて前記通常割込要求が包含されたプリントジョブを割り込み処理させ、
前記割込要求が緊急割込要求である場合、前記処理実行中のプリントジョブの処理を直ちに停止させて前記緊急割込要求が包含されたプリントジョブを割り込み処理させること、
を特徴とする画像形成装置。
【発明の詳細な説明】
【技術分野】
【０００１】
この発明は、各種の製本をするために製本の種類に対応する各所で紙媒体をストックする複数又は単一の製本装置が後段に接続される画像形成装置に関し、特にプリントジョブの割り込み技術に関する。
【背景技術】
【０００２】
近年、電子写真方式の画像形成装置の発展が目覚ましく、カラー化、低価格化、高速化が急速に進んでいる。
【０００３】
また、画像形成装置には、製本処理をする製本装置が後段に連結され、多様な印刷態様が可能となってきた。製本装置内部には、ステープル処理をするステープル部、パンチ孔を穿孔する穿孔処理部、印刷物の中央で織り込む中折り処理をする中折り部、これら各種処理を施すために印刷物を待機させる共通のストック部が配置される。ストック部に画像を形成した紙媒体を待機させ、印刷物一部がそろうのを待って所望の製本処理をする機構に搬送する。
【０００４】
さらに、近年は、ネットワーク技術の進展により、一台の画像形成装置に対してネットワークを介して複数台のコンピュータ端末が接続され、当該複数台のコンピュータ端末から逐次プリントジョブが送出されることも多くなってきた。
【０００５】
画像形成装置は、プリントジョブを原則的には先入れ先出し方式で管理し、複数のプリントジョブを受信順に印刷処理する。送出されてくるプリントジョブには、印刷を優先されるべき優先度の高いものがある。優先度の高いプリントジョブにはコンピュータ端末により割込要求が含まれており、画像形成装置は、当該割込要求が含まれるプリントジョブを受信した場合には先入れ先出し方式によらず優先して印刷処理をする。
【０００６】
割り込み処理では、実行中のプリントジョブが存在する場合に、割込要求が含まれるプリントジョブの割り込みタイミングを如何にすべきかが問題となる。この問題に対し、実行中のプリントジョブと割り込みして処理するプリントジョブとの関係を考慮し、実行中のプリントジョブの割り込みまでの成果を無駄にせず極力迅速に割り込みを実行する各種の割り込み技術が提案されている（例えば、「特許文献１」参照。）。
【０００７】
この割り込み技術では、複数ページからなる画像データを複数部数印刷し、印刷物一部毎に製本処理をする場合を前提とする。割り込みするプリントジョブに係る印刷物の製本要否を判断する。印刷物が製本されない場合には、直ちに実行中のプリントジョブを停止して割込要求の含まれたプリントジョブを実行する。割り込みするプリントジョブに係る印刷物が製本される場合には、実行中のプリントジョブの製本要否を判断する。実行中のプリントジョブに係る印刷物が製本されない場合には、実行中のプリントジョブを停止して割込要求の含まれたプリントジョブを実行する。実行中のプリントジョブに係る印刷物が製本される場合には、現在印刷中の印刷物一部を印刷及び製本してから実行中のプリントジョブを停止して割込要求の含まれたプリントジョブを実行する。
【０００８】
この割り込み技術では、実行中のプリントジョブに係る印刷物と割り込みするプリントジョブに係る印刷物の双方が製本を行う場合に、直ちに割り込みを実行することにより製本装置内に製本のためにストックされている印刷物一部に満たない印刷物の束を排紙する必要を回避するものである。または、割り込まれたプリントジョブに係る印刷物の束と割り込んだ印刷物の束がストック部に混在してしまうことを回避するものである。製本処理を考慮して効率的な割り込みを達成したものといえる。
【０００９】
しかし、最近は、製本装置において、各種の製本処理の機構に一対一で対応した専用のストック部を有するものや、単一の製本処理の機構とそれに対応した単一のストック部を有する各種製本装置を一連に接続可能とするものが提案されている。
【００１０】
このような製本装置を画像形成装置に連結した上で従来より提案されている割り込み技術を適用すると、必ずしも効率的な割り込みを達成しているとは言えない状況が生じてきている。そもそも、このような製本装置を連結した場合には画像形成装置後段に複数のストック部を有するため、実行中のプリントジョブに係る印刷物と割り込みするプリントジョブに係る印刷物の双方が製本を行うからといって、割り込まれるプリントジョブに係る印刷物の束を印刷物一部に満たない状態で排紙する必要や、割り込まれたプリントジョブに係る印刷物の束と割り込んだ印刷物の束がストック部に混在してしまうことがないからである。
【００１１】
【特許文献１】特開２００４−２５４０４７号公報
【発明の開示】
【発明が解決しようとする課題】
【００１２】
この発明は、上述のような問題点に鑑みてなされたものであり、画像形成装置が各種製本処理部と当該各種製本処理部に対応して配設されて製本処理のために記録媒体を待機させる各ストック部を有する単一又は複数連結された製本装置と連結される場合に、プリントジョブのより効率的な割り込み技術を提供することを目的とする。
【課題を解決するための手段】
【００１３】
上記課題を解決するために、請求項１に記載の発明は、各種製本処理部と当該各種製本処理部に対応して配設されて製本処理のために記録媒体を待機させる各ストック部を有する単一又は複数連結された後処理装置と連結される画像形成装置であって、製本内容及び割込要求を包含可能な複数のプリントジョブを管理する管理手段と、管理するプリントジョブに割込要求が包含されていると、この割込要求が包含されたプリントジョブの製本内容と処理実行中のプリントジョブの製本内容が同一か否かを判断する判断手段と、双方の製本内容が異なっている場合、前記処理実行中のプリントジョブの処理を直ちに停止させて前記割込要求が包含されたプリントジョブを割り込み処理させ、双方の製本内容が同一の場合、前記処理実行中のプリントジョブを部の区切りで停止させて前記割込要求が包含されたプリントジョブを割り込み処理させるプリント制御手段と、を備えること、を特徴とする。
【００１４】
上記課題を解決するために、請求項２に記載の発明は、各種製本処理部と当該各種製本処理部に対応して配設されて製本処理のために記録媒体を待機させる各ストック部を有する単一又は複数連結された製本装置と連結される画像形成装置であって、製本内容及び緊急割込み要求又は通常割込要求を包含可能な複数のプリントジョブを管理する管理手段と、管理するプリントジョブに通常割込要求が包含されていると、この割込要求が包含されたプリントジョブの製本内容と処理実行中のプリントジョブの製本内容が同一か否かを判断する判断手段と、前記プリントジョブに基づく印刷を制御するプリント制御手段と、を備え、前記プリント制御手段は、前記割込要求が通常割込要求であって前記判断手段が双方の製本内容が異なっていると判断した場合には、前記処理実行中のプリントジョブの処理を直ちに停止させて前記通常割込要求が包含されたプリントジョブを割り込み処理させ、前記割込要求が通常割込要求であって前記判断手段が双方の製本内容が同一であると判断した場合には、前記処理実行中のプリントジョブを部の区切りで停止させて前記通常割込要求が包含されたプリントジョブを割り込み処理させ、前記割込要求が緊急割込要求である場合、前記処理実行中のプリントジョブの処理を直ちに停止させて前記緊急割込要求が包含されたプリントジョブを割り込み処理させること、を特徴とする。
【発明の効果】
【００１５】
本発明によると、製本装置の各種製本機能に一対一で対応して記録媒体がストックされる場合、印刷処理実行中のプリントジョブと割込要求のあるプリントジョブの製本内容が異なれば、直ちに割り込み処理をする。従って、処理実行中のプリントジョブに不都合な影響を低減しつつ、割込要求のあるプリントジョブを迅速に割込処理することが可能となり、効率のよい割り込み印刷を実現することができる。
【発明を実施するための最良の形態】
【００１６】
以下、図１乃至図８に基づき、本発明の実施形態を詳細に説明する。
【００１７】
図１は、本実施形態に係る画像形成装置が含まれるネットワークの構成図である。
【００１８】
図１に示すように、ネットワークＮには、画像形成装置１００と複数のコンピュータ端末３００が接続されている。画像形成装置１００と複数のコンピュータ端末３００との間には、プリントコントローラ４００が介在している。画像形成装置１００の後段には、複数の製本装置２００が一連に連結している。
【００１９】
ネットワークＮは、電子データの伝送が可能な電子通信回線である。例えば電話回線網、ＩＳＤＮ、ＦＤＤＩ、専用線、移動体通信網、通信衛星回線、ＣＡＴＶ、ＬＡＮ等、又はこれらの複合が採用される。コンピュータ端末３００、プリントコントローラ４００、及び画像形成装置１００はネットワーク通信技術を利用し、ネットワークＮを介して相互のデータ通信が可能となっている。また、画像形成装置１００と各製本装置２００は、信号線で接続されている。画像形成装置１００と各製本装置２００は、信号線を介して制御信号等の電気信号の入出力が可能となっている。
【００２０】
ネットワーク通信技術には、例えばＷＷＷ（ワールド・ワイド・ウェブ）やＴＣＰ／ＩＰプロトコルやシリアル通信等が採用される。例えば、コンピュータ端末３００とプリントコントローラ４００間は、ＴＣＰ／ＩＰプロトコルを利用してデータ通信が行われ、プリントコントローラ４００と画像形成装置１００間、及び画像形成装置１００と各製本装置２００間は、シリアル通信を利用してデータ通信が行われる。
【００２１】
コンピュータ端末３００は、演算制御部（ＣＰＵ）、主記憶部（ＲＡＭ）、外部記憶部（ＨＤＤ）、及び通信部（ＮＩＣ）を備える。外部記憶部に記憶されたプログラムが主記憶部に展開され、主記憶部をワークエリアとしながら、演算制御部がプログラムを順次読み出して解読及び実行する。
【００２２】
このプログラムの実行により、コンピュータ端末３００は、画像ファイルを作成又は編集し、ネットワークＮを介してプリントコントローラ４００へ送信する。送信する画像ファイルは、複数ページにレイアウトされた画像データを含む。
【００２３】
画像ファイルは、例えばポストスクリプト等のページ記述言語で記述される。画像データは、ベクターデータ若しくはラスターデータである。ベクターデータは、ページ記述言語によって、画像に含まれる文字や数字等の記号と線の配置位置が規定されている。線は、直線と３次のベジエ曲線の制御点から数学的に記述され、その線の太さや色や線種等の属性、線で囲まれた範囲の塗りの色や模様等の属性で規定されている。ラスターデータは、各色の階調値を有する画素の集まりによって画像を表現する。
【００２４】
また、コンピュータ端末３００は、キーボードやマウスやタッチパネル等の入力インターフェースを有し、画像を印刷する不織布や用紙等の記録媒体の大きさ及び向き、印刷物の部数、製本内容、割込要求等の印刷条件が指定可能となっている。割込要求は、通常割込要求と緊急を示す緊急割込要求が指定可能となっている。これら印刷条件も例えばページ記述言語により画像ファイルに含まれてプリントコントローラ４００に送信される。
【００２５】
プリントコントローラ４００は、ＲＩＰ（Ｒａｓｔｅｒ  Ｉｍａｇｅ  Ｐｒｏｃｅｓｓｅｒ）処理機能を有するコンピュータである。演算制御部（ＣＰＵ）、主記憶部（ＲＡＭ）、外部記憶部（ＨＤＤ）、及び通信部（ＮＩＣ）を備える。外部記憶部に記憶されたプログラムが主記憶部に展開され、主記憶部をワークエリアとしながら、演算制御部がプログラムを順次読み出して解読及び実行する。
【００２６】
このプログラムの実行により、プリントコントローラ４００は、受信した画像ファイルに含まれる画像データがベクターデータである場合には、ラスタライズしてラスターデータに変換する。画像データがＲ（レッド）Ｇ（グリーン）Ｂ（ブルー）の色版で構成される場合には、画像形成装置１００が出力可能なＣ（シアン）Ｍ（マゼンタ）Ｙ（イエロー）Ｋ（墨）の色版で構成されるビットマップデータに変換する。画像形成装置１００の出力色特性を反映させるため、ガンマ補正等の色補正を行う。プリントコントローラ４００は、この画像処理後の画像データと印刷条件を内容とするプリントジョブを生成して画像形成装置１００に入力する。
【００２７】
画像形成装置１００は、複写機、プリンタ、ＭＦＰ（Ｍｕｌｔｉ−Ｆｕｎｃｔｉｏｎ  Ｐｅｒｉｐｈｅｒａｌ）、印刷機、又はキオスク端末等のプリンタ提供情報端末等の記録媒体に画像を形成して印刷物を作成する印刷装置である。例えば電子写真方式が採用され、画像データに基づき色毎のトナー像を形成し、色毎のトナー像を重ね合わせてカラー画像を形成する。
【００２８】
画像形成装置１００は、プリントコントローラ４００からプリントジョブが入力されると、入力されたプリントジョブをジョブキューに加えて管理する。画像形成装置１００が複合機であり、物表面から画像を読み取り画像データを取得する画像読取機能を有する場合は、この読取機能から画像データを取得し、操作パネルを用いて入力された印刷条件と合わせてプリントジョブの入力として受け付け、ジョブキューにて管理する。
【００２９】
プリントジョブの管理では、原則的に先入れ先出し方式（ＦＩＦＯ）で受信順にプリントジョブを実行して印刷処理し、印刷物を作成する。管理するプリントジョブに割込要求があると、実行中のプリントジョブの製本内容と割込要求を含むプリントジョブの製本内容を比較して割り込み印刷をする。管理するプリントジョブに緊急割込要求があると、実行中のプリントジョブの内容に関わらず直ちに実行中のプリントジョブを停止し、緊急割込要求を含むプリントジョブを印刷処理する。
【００３０】
製本装置２００は、画像形成装置１００の制御下で駆動し、プリントジョブに製本内容が含まれているとその製本内容に沿った製本処理をする。
【００３１】
各製本装置２００は、それぞれ所定種類の製本機構を有し、画像形成装置１００の後段に一連に連結されている。製本機構としては、印刷物一部にステープル処理を行う機構、印刷物一部にパンチ孔等の穿孔処理を行う機構、印刷物一部を中折りする機構等が挙げられる。製本処理をする製本装置２００よりも前段に連結された製本装置２００は、印刷物を後段へ搬送する。製本処理をする製本装置２００は、前段から一枚ずつ搬送された印刷物をストックし、印刷物一部が揃うと製本処理を施す。
【００３２】
図２は、画像形成装置１００の内部構成例を示す模式図である。この画像形成装置１００は、装置本体１００ａと、装置本体１００ａの上部に設置された画像読取装置１００ｂから構成される。
【００３３】
画像読取装置１００ｂは、原稿等の物表面に形成されている画像を光学的に読み取って当該画像をアナログ信号に変換する原稿画像走査露光装置１２２と、原稿を原稿画像走査露光装置１２２に給紙する自動原稿給紙装置（ＡＤＦ：Ａｕｔｏ Ｄｏｃｕｍｅｎｔ Ｆｅｅｄｅｒ）１２１とから構成される。
【００３４】
自動原稿給紙装置１２１は、原稿を原稿画像走査露光装置１２２に給紙する装置であり、原稿台１２１ａ上に載置された複数枚の原稿を、一枚ずつ搬送手段１２１１ｂで原稿画像走査露光装置１２２に搬送する。
【００３５】
原稿画像走査露光装置１２２は、プラテンガラス１２２ａと、キセノンランプ等の光源、ミラー、及びレンズを含む光学系１２２ｂと、ＣＣＤ（Ｃｈａｒｇｅ  Ｃｏｕｐｌｅｄ  Ｄｅｖｉｃｅ）イメージセンサ１２２ｃとから構成される。
【００３６】
光学系１２２ｂは、自動原稿給紙装置１２１の搬送によりプラテンガラス１２２ａ上に載置された原稿を走査露光し、光源による照射によって原稿から反射した反射光をミラーで光路変更させつつ、レンズを介してＣＣＤイメージセンサ１２２ｃに結像させる。ＣＣＤイメージセンサ１２２ｃは、原稿の片面又は両面に形成されている画像を反映する入射光を受光してアナログ信号に変換する。
【００３７】
装置本体１００ａは、タンデム型と称せられるものである。タンデム型は、色毎の画像出力系を有し、その画像出力系が原稿搬送方向に並んで配されるものである。
【００３８】
この装置本体１００ａ内には、画像形成装置１００及び各製本装置２００の各部を制御する制御ユニット１０２と、紙媒体を収容する紙媒体収容部１０３と、画像を紙媒体に出力する画像出力部１０４が配置されている。紙媒体収容部１０３と画像出力部１０４との間には、紙媒体を紙媒体収容部１０３から画像出力部１０４へ給紙する搬送路１０５が配置されている。画像出力部１０４の後段には、定着部１０６が配置されている。画像出力部１０４内には、装置本体１００ａの表面には、操作者の操作を受け付ける操作パネル１０８が埋め込まれている。
【００３９】
紙媒体収容部１０３は、トレイ形状や箱形状を有し、下部に配置されたレールに沿って装置本体１００ａの外部へ引き出し可能となっている。一般的には、装置本体１００ａに複数の紙媒体収容部１０３、１０３、１０３が配置され、それぞれ各種サイズの紙媒体を各種の向きで収容する。
【００４０】
搬送路１０５は、紙媒体を紙媒体収容部１０３の何れかより取り出し、画像出力部１０４と定着部１０６を通過させ、装置本体１００ａの外部に排紙する。この搬送路１０５は、所定間隔で配された対向する複数組のローラ対で形成される。ローラ対の配置ラインが紙媒体の搬送ラインを作り出す。このローラ対が紙媒体を挟持し、搬送方向へ送り出すように回転することで、紙媒体が次段のローラ対へ搬送されていく。
【００４１】
紙媒体収容部１０３の近傍には、送り出しローラ１０５ａ及び給紙ローラ１０５ｂが配置され、紙媒体収容部１０３から紙媒体を取り出す。給紙ローラ１０５ｂの後段には、画像出力部１０４へ向けて、搬送ローラ１０５ｃ、１０５ｄ、１０５ｅ、及びレジストローラ１０５ｆが配置され、取り出された紙媒体を画像出力部１０４へ搬送する。レジストローラ１０５ｆでは、搬送されてきた紙媒体を一端止め置き、紙媒体の先端規制をしてから画像出力部１０４へ搬送する。
【００４２】
定着部１０６の後段には、分岐路１０５ｇが配置され、画像出力部１０４及び定着部１０６を通過した紙媒体を排紙側又は循環側へ搬送する。分岐路１０５ｇの排紙側には、排紙ローラ１０５ｈが配され、排紙側へ搬送された紙媒体を外部へ排紙する。
【００４３】
分岐路１０５ｇの循環側には、循環通紙路１０５ｉと反転搬送路１０５ｊと再給紙搬送路１０５ｋが配置される。紙媒体の両面に画像を形成する場合、画像出力部１０４で片面に画像を形成した後、循環通紙路１０５ｉを経て、反転搬送路１０５ｊで紙媒体の紙面を反転させ、再給紙搬送路１０５ｋを経て再度搬送ローラ１０５ｅに合流させる。
【００４４】
画像出力部１０４は、色毎の画像形成ユニット１０９Ｙ、１０９Ｍ、１０９Ｃ、１０９Ｋと、この画像形成ユニット１０９Ｙ、１０９Ｍ、１０９Ｃ、１０９Ｋに対応した色毎の半導体レーザ１１０Ｙ、１１０Ｍ、１１０Ｃ、１１０Ｋと、各色共通の無終端状の中間転写ベルト１１１と備えている。
【００４５】
画像形成ユニット１０９Ｙと半導体レーザ１１０Ｙは、イエロー（Ｙ）色の画像を形成する。画像形成ユニット１０９Ｙには、感光ドラム１Ｙと帯電部２Ｙと現像部３Ｙとクリーニング部５Ｙが配されている。
【００４６】
画像形成ユニット１０９Ｍと半導体レーザ１１０Ｍは、マゼンタ（Ｍ）色の画像を形成する。画像形成ユニット１０９Ｍには、感光ドラム１Ｍと帯電部２Ｍと現像部３Ｍとクリーニング部５Ｍが配されている。
【００４７】
画像形成ユニット１０９Ｃと半導体レーザ１１０Ｃは、シアン（Ｃ）色の画像を形成する。画像形成ユニット１０９Ｃには、感光ドラム１Ｃと帯電部２Ｃと現像部３Ｃとクリーニング部５Ｃが配されている。
【００４８】
画像形成ユニット１０９Ｋと半導体レーザ１１０Ｋは、黒（Ｋ）色の画像を形成する。画像形成ユニット１０９Ｋには、感光ドラム１Ｋと帯電部２Ｋと現像部３Ｋとクリーニング部５Ｋが配されている。
【００４９】
感光ドラム１Ｙ、１Ｍ、１Ｃ、１Ｋは、回転可能な円柱体であり、表面がスコロトロン方式等の帯電方式により均一に帯電されている。この表面は、半導体レーザ１１０Ｙ、１１０Ｍ、１１０Ｃ、１１０Ｋの出力するレーザ光により露光され、レーザ光の出力強度に応じて露光部分の電位が減じ、静電潜像が形成される。
【００５０】
帯電部２Ｋ、２Ｍ、２Ｃ、２Ｋは、感光ドラム１Ｙ、１Ｍ、１Ｃ、１Ｋの表面に静電荷を与えて一様に帯電させる。現像部３Ｙ、３Ｍ、３Ｃ、３Ｋによる現像は、使用するトナー極性と同極性の直流電圧に交流電圧を重畳した現像バイアスが印加される反転現像にて行い、トナー供給によって感光ドラム１Ｙ、１Ｍ、１Ｃ、１Ｋの表面にトナー像を形成する。クリーニング部５Ｙ、５Ｍ、５Ｃ、５Ｋは、感光ドラム１Ｙ、１Ｍ、１Ｃ、１Ｋに残る残留トナーを除去する。
【００５１】
半導体レーザ１１０Ｙ、１１０Ｍ、１１０Ｃ、１１０Ｋは、出力強度を可変させながら対応する感光ドラム１Ｙ、１Ｍ、１Ｃ、１Ｋにレーザ光を走査し、感光ドラム１Ｙ、１Ｍ、１Ｃ、１Ｋの表面を露光して各色の静電潜像を形成する。この半導体レーザ１１０Ｙ、１１０Ｍ、１１０Ｃ、１１０Ｋは、各色の画像データを構成する各画素が有する出力値に応じてアナログ変調された駆動信号が入力されて、出力値に対応した出力強度のレーザ光を出力する。出力値は、出力強度を規定する数値であり、出力値の増加によって出力強度は増し、トナーが比例して付着する。
【００５２】
中間転写ベルト１１１は、無終端状に回動している。ベルト表面には感光ドラム１Ｙ、１Ｍ、１Ｃ、１Ｋが配され、ベルト裏面には、感光ドラム１Ｙ、１Ｍ、１Ｃ、１Ｋと対峙して１次転写ローラ６Ｙ、６Ｍ、６Ｃ、６Ｋが配されている。また、中間転写ベルト１１１を挟んで対向する２次転写ローラ７と、ベルト表面の残留トナーを除去するクリーニング部８が配されている。
【００５３】
中間転写ベルト１１１には、使用するトナーと反対極性の１次転写バイアスが１次転写ローラ６Ｙ、６Ｍ、６Ｃ、６Ｋに印加されることにより、感光ドラム１Ｙ、１Ｍ、１Ｃ、１Ｋ表面に形成されたトナー像が各色逐次転写されて（１次転写）、合成されたカラー画像が形成される。
【００５４】
合成されたカラー画像が形成された中間転写ベルト１１１は、回動により合成されたカラー画像を２次転写ローラ７へ運び、同期して２次転写ローラ７に挟持された紙媒体の表面にカラー画像を一括して転写する（２次転写）。転写後は、残留トナーをクリーニング部８へ運び、クリーニング部８で残留トナーが除去される。
【００５５】
定着部１０６は、内部にヒータを備えた定着ローラと対向する加圧ローラを備えている。定着ローラと加圧ローラでカラー画像が形成された紙媒体を挟持し、加熱圧着作用によりカラー画像を紙媒体に定着させる。
【００５６】
制御ユニット１０２は、画像形成装置１００及び各製本装置２００を制御して、プリントジョブの受信、及び管理、画像の記録媒体への出力制御を行う。
【００５７】
図３は、製本装置２００の内部構成例を示す模式図である。図３に示すように、各製本装置２００（２００ａ，２００ｂ，２００ｃ）は、記録媒体の搬入口と排出口とを対向させて一連に連結されており、それぞれが製本機構２０４（２０４ａ，２０４ｂ，２０４ｃ）を有し、それぞれが製本する印刷物をストックするストック部２０３（２０３ａ，２０３ｂ，２０３ｃ）を有する。
【００５８】
製本装置２００ａの内部には、印刷物をストックするストック部２０３ａと、印刷物一部にステープルを打ち込む製本機構２０４ａが配置されている。製本装置２００ｂの内部には、印刷物をストックするストック部２０３ｂと、印刷物一部にパンチ穴を穿孔する製本機構２０４ａが配置されている。製本装置２００ｃの内部には、印刷物をストックするストック部２０３ａと、印刷物一部を中折りする製本機構２０４ｃが配置されている。
【００５９】
各製本装置２００には、後段へ紙媒体を搬送する排出路２０１が配され、この排出路２０１から分岐してストック部２０３ａ，２０３ｂ，２０４ｃに紙媒体を搬送する分岐路２０２が配される。排出路２０１と分岐路２０２の分岐には、紙媒体を排出路２０１及び分岐路２０２の何れかに誘導するガイド爪２０５が配されている。
【００６０】
後段へ紙媒体を送る製本装置２００は、制御ユニット１０２からの制御信号によりガイド爪２０５を排出路２０１側へ作動させ、搬送されてくる紙媒体を排出路２０１側へ通して後段の製本装置２００へ搬送する。
【００６１】
印刷物一部に製本処理を施す製本装置２００は、制御ユニット１０２からの制御信号によりガイド爪２０５を分岐路２０２側へ作動させ、搬送されてくる紙媒体を分岐路２０２側へ通してストック部２０３にストックする。印刷物一部に相当する紙媒体の束がストック部２０３にストックされて制御ユニット１０２から製本処理を施す制御信号を受信すると、製本機構２０４に製本を施す。
【００６２】
図４は、画像形成装置１００に搭載される制御ユニット１０２の制御系を示すブロック図である。制御ユニット１０２は、演算制御部（ＣＰＵ）１０２ａとメモリ１０２Ｌを含む各種制御回路、処理回路により構成される。
【００６３】
メモリ１０２Ｌは、制御プログラムを記憶するＲＯＭと、ワークエリアとなるフラッシュメモリ等のＲＡＭとを含み構成される。演算制御部１０２ａがメモリ１０２Ｌに記憶された制御プログラムを解読及び実行することにより各制御回路に制御内容を示す制御信号を出力し、各制御回路が制御内容に従って電力を調節することにより画像形成装置１００又は製本装置２００の各部を駆動させる。
【００６４】
プリントコントローラ４００からプリントジョブが入力されると、ＤＲＡＭ制御ＩＣ１０２ｉの制御の下、圧縮・伸張ＩＣ１０２ｊにより画像データを圧縮して画像メモリ１０２ｈに記憶する。演算制御部１０２ａは、入力されたプリントジョブをジョブキューに加えて出力順及び印刷条件を管理する。ジョブキューは、プリントジョブを管理するリストである。
【００６５】
画像形成装置１００の操作者が、原稿台１２１ａ上に原稿を載置して操作パネル１０８を用いて印刷条件を設定し、印刷要求の操作をすると、操作パネル１０８から操作に対応した信号がコード化されて演算制御部１０２ａに出力される。演算制御部１０２ａは、コードを解釈して、ＡＤＦ制御部１０２ｂとスキャナ制御部１０２ｃに制御信号を出力する。
【００６６】
ＡＤＦ制御部１０２ｂは、制御信号が入力されると、自動原稿給紙装置１２１に駆動信号を出力し、原稿台１２１ａに載置された原稿を原稿画像走査露光装置１２２に搬送させる。スキャナ制御部１０２ｃは、制御信号が入力されると、原稿画像走査露光装置１２２を駆動させ、原稿に形成された画像を反映するアナログ電気信号を読取処理部１０２ｆに出力させる。
【００６７】
読取処理部１０２ｆは、出力されたアナログ信号を処理してデジタルのＣＭＹＫ各色に対応した画像データを作成する。ＤＲＡＭ制御ＩＣ１０２ｉの制御の下、作成された画像データを圧縮・伸張ＩＣ１０２ｊで圧縮して、画像メモリ１０２ｈに記憶する。演算制御部１０２ａは、読み取られた画像データ及び操作パネル１０８を用いて入力された印刷条件をプリントジョブの入力として受け付け、プリントジョブをジョブキューに加えて出力順及び印刷条件を管理する。
【００６８】
演算制御部１０２ａは、管理している複数のプリントジョブの印刷順序を定め、印刷処理をするプリントジョブの内容をもとに、各ページの画像データを画像メモリ１０２ｈから読み出させ、圧縮・伸張ＩＣ１０２ｊで伸張させて、書込処理部１０２ｋに出力させる。同時に、プリンタ制御部１０２ｅに記録媒体１枚に画像を形成させる制御信号をページ数及び印刷部数に応じて順次出力する。また、製本処理する製本装置２００よりも前段に連結された製本装置２００を駆動させるＦＳ制御部１０２ｍに分岐爪２０５を駆動させる制御信号を出力し、印刷物一部の出力が完了すると、製本処理する製本装置２００を駆動させるＦＳ制御部１０２ｍに製本機構２０４を駆動させる制御信号を出力する。
【００６９】
書込処理部１０２ｋは、各色の画像データの各画素に付された出力値をアナログ変調して半導体レーザ１１０Ｙ、１１０Ｍ、１１０Ｃ、１１０Ｋに入力しレーザ光を出力させる。プリンタ制御部１０２ｅは、搬送路１０５、画像出力部１０４、及び定着部１０６に電力を供給して駆動させる。ＦＳ制御部１０２ｍは、各製本装置２００に対応して配され、各製本装置２００内の搬送路及び製本機構に電力を供給して駆動させる。
【００７０】
図５は、演算制御部１０２ａの機能構成を示すブロック図である。演算制御部１０２ａは、プリントジョブの管理では、印刷制御部１０と、ジョブ管理に係る判断部１１、及びジョブ管理部１２とを備える。
【００７１】
印刷制御部１０は、ＤＲＡＭ制御ＩＣ１０２ｉに印刷処理するプリントジョブに係る画像データを指示し、書込処理部１０２ｋに出力させる。また書込処理部１０２ｋ、プリンタ制御部１０２ｅ、及びＦＳ制御部１０２ｍに対して記録媒体１枚毎に制御信号を出力する。この制御信号と同期してジョブ管理部１２に同期情報を提供する。ジョブ管理部１２より制御停止が指示された場合は、書込処理部１０２ｋ、プリンタ制御部１０２ｅ、及びＦＳ制御部１０２ｍの制御を停止する。
【００７２】
判断部１１は、入力されたプリントジョブに通常割込要求が含まれている場合に、通常割込要求が含まれるプリントジョブと現在印刷処理実行中のプリントジョブの製本内容を比較する。比較の結果、双方の製本内容が同一の場合には、ジョブ管理部１２の生成するジョブキューに加えられた通常割込要求が含まれるプリントジョブに割込フラグを立てる。また、プリントジョブに含まれている割込要求が緊急割込要求である場合には、ジョブキューに加えられた緊急割込要求が含まれているプリントジョブに緊急割込フラグを立てる。
【００７３】
尚、画像形成装置１００に既に入力されて管理されているプリントジョブに対して、プリントコントローラ４００や操作パネル１０８からプリントジョブの内容を変更する入力がされる場合がある。プリントジョブの内容を変更する入力があり、その変更内容に割込要求が含まれていると、判断部１１は、同様に比較やフラグを立てる処理を行う。
【００７４】
ジョブ管理部１２は、入力されたプリントジョブを管理する。プリントジョブの印刷処理実行順と印刷処理実行中のプリントジョブの印刷経過を管理する。プリントコントローラ４００経由若しくは画像読取装置１００ｂ及び操作パネル１０８経由でプリントジョブが入力されると、入力されたプリントジョブをジョブキューに加えて管理する。
【００７５】
原則的には先入れ先出し方式で印刷処理をするプリントジョブの印刷処理実行順を決定し、印刷処理するプリントジョブの画像データを印刷制御部１０に指示する。印刷処理するプリントジョブには、印刷処理中のフラグを立てる。印刷制御部１０による記録媒体１枚毎の画像形成制御に同期して同期情報を取得し、印刷処理中のページ及び部数を示す数値をカウントアップする。
【００７６】
判断部１１によりジョブキューに割込フラグが立てられると、印刷物一部の区切り、即ち印刷処理中のページ数が画像ファイルの最終ページに到達した時点で、印刷制御部１０の現在実行中のプリントジョブの印刷処理を停止させる。現在実行中のプリントジョブの印刷処理を停止させると、新たに、割込フラグが立てられたプリントジョブの印刷処理の実行を指示する。即ち、印刷処理をする画像データを指示する。
【００７７】
判断部１１によりジョブキューに緊急割込フラグが立てられると、印刷処理中のプリントジョブを直ちに停止させる。印刷処理中のプリントジョブを停止させると、緊急割込フラグが立てられたプリントジョブの印刷処理を実行する。
【００７８】
図６は、このプリントジョブの管理に係る演算制御部１０２ａの動作を示すフローチャートである。
【００７９】
まず、画像形成装置１００には、プリントコントローラ４００経由若しくは画像読取装置１００ｂ及び操作パネル１０８経由でプリントジョブが入力される。プリントジョブが入力されると、演算制御部１０２ａは、プリントジョブに割込要求が含まれているか否かを判断する（Ｓ０１）。演算制御部１０２ａは、プリントジョブのデータのうち割込要求の記述エリアを読み出す。この記述エリアに割込要求を示す符号が記述されていれば割込要求有りとする。
【００８０】
割込要求が含まれていない場合は（Ｓ０１，Ｎｏ）、入力されたプリントジョブをジョブキューの最後尾に加入する（Ｓ０２）。即ち、先入れ先出し方式で管理する。
【００８１】
割込要求が含まれている場合には（Ｓ０１，Ｙｅｓ）、印刷処理実行中のプリントジョブが有るか判断する（Ｓ０３）。演算制御部１０２ａは、ジョブキューを参照して、印刷処理中のフラグが立てられたプリントジョブがある場合には、印刷処理実行中のプリントジョブが存在すると判断する。
【００８２】
印刷処理実行中のプリントジョブがない場合には（Ｓ０３，Ｎｏ）、入力されたプリントジョブの印刷処理を実行する（Ｓ０４）。演算制御部１０２ａは、入力されたプリントジョブに係る画像データを指示し、書込処理部１０２ｋ、プリンタ制御部１０２ｅ、及びＦＳ制御部１０２ｍに対して記録媒体１枚毎に制御信号を出力する。この制御信号と同期して印刷処理中のページ及び部数を示す数値をカウントアップしてジョブキューを更新する。
【００８３】
印刷処理実行中のプリントジョブが存在する場合には（Ｓ０３，Ｙｅｓ）、入力されたプリントジョブに含まれる割込内容が緊急割込要求であるか否かを判断する（Ｓ０５）。演算制御部１０２ａは、プリントジョブのデータのうち割込要求の記述エリアを読み出す。この記述エリアに緊急割込要求を示す符号が記述されていれば緊急割込要求有りとする。尚、この判断は、実質的にはＳ０１における割込要求の存在有無の判断時点で行われる。
【００８４】
プリントジョブに緊急割込要求が含まれている場合には（Ｓ０５，Ｙｅｓ）、印刷処理実行中のプリントジョブの印刷処理を停止させる（Ｓ０６）。演算制御部１０２ａは、書込処理部１０２ｋ、プリンタ制御部１０２ｅ、及びＦＳ制御部１０２ｍに対する制御信号の出力を停止する。制御信号の出力を停止すると、ジョブキュー内の印刷処理を実行していたプリントジョブに中断フラグを立てる。
【００８５】
印刷処理を停止させると、緊急割込要求を含むプリントジョブの印刷処理を実行する（Ｓ０７）。演算制御部１０２ａは、緊急割込要求を含むプリントジョブに係る画像データを指示し、書込処理部１０２ｋ、プリンタ制御部１０２ｅ、及びＦＳ制御部１０２ｍに対して記録媒体１枚毎に制御信号を出力する。この制御信号と同期して印刷処理中のページ及び部数を示す数値をカウントアップしてジョブキューを更新する。
【００８６】
緊急割込要求を含むプリントジョブの印刷処理は、プリントジョブに含まれる部数の印刷条件に到達するまでなされる（Ｓ０８，Ｎｏ）。演算制御部１０２ａは、ページ及び部数をカウントアップする毎に、部数の印刷条件と比較し、部数の印刷条件とカウントアップしている部数が一致すると、プリントジョブの印刷処理終了と判断する。
【００８７】
緊急割込要求を含むプリントジョブの印刷処理が終了すると（Ｓ０８，Ｙｅｓ）、停止していたプリントジョブの印刷処理を再開する（Ｓ０９）。演算制御部１０２ａは、ジョブキューを参照して中断フラグを検索し、中断フラグが立てられたプリントジョブに係る画像データを指示し、書込処理部１０２ｋ、プリンタ制御部１０２ｅ、及びＦＳ制御部１０２ｍに対して記録媒体１枚毎に制御信号を出力する。この制御信号と同期して印刷処理中のページ及び部数を示す数値のカウントアップを再開する。
【００８８】
一方、プリントジョブに含まれている割込要求が緊急割込要求でなく通常割込要求である場合には（Ｓ０５，Ｎｏ）、通常割込要求のあるプリントジョブと印刷処理実行中のプリントジョブの製本内容を比較する（Ｓ１０）。演算制御部１０２ａは、ジョブキューから割込要求のあるプリントジョブと印刷処理実行中のプリントジョブの製本内容を読み出し、双方の一致を判断する。
【００８９】
通常割込要求のあるプリントジョブと印刷処理実行中のプリントジョブの製本内容が異なる場合には（Ｓ１０，Ｎｏ）、印刷処理実行中のプリントジョブの印刷処理を停止させる（Ｓ０６）。演算制御部１０２ａは、書込処理部１０２ｋ、プリンタ制御部１０２ｅ、及びＦＳ制御部１０２ｍに対する制御信号の出力を停止する。制御信号の出力を停止すると、ジョブキュー内の印刷処理を実行していたプリントジョブに中断フラグを立てる。
【００９０】
通常割込要求のあるプリントジョブと印刷処理実行中のプリントジョブの製本内容が同一の場合には（Ｓ１０，Ｙｅｓ）、印刷処理実行中のプリントジョブは印刷物一部の区切りまで印刷処理を完了しているか否かを判断する（Ｓ１１）。演算制御部１０２ａは、ジョブキューから印刷中のページ数を示す数値を読み出し、ページ数の印刷条件と比較する。記録媒体一枚に印刷する毎にカウントアップされていくページ数の数値と印刷条件が合致すれば、部の区切りまで印刷処理が完了したと判断する（Ｓ１１，Ｙｅｓ）。合致しなければ、部の区切りまで印刷処理が完了していないと判断して（Ｓ１１，Ｎｏ）、合致するまでページ数のカウントアップ毎に比較を繰り返す。
【００９１】
印刷処理実行中のプリントジョブが印刷物一部の区切りまで印刷処理を完了すると（Ｓ１１，Ｙｅｓ）、印刷処理実行中のプリントジョブの印刷処理を停止させる（Ｓ０６）。演算制御部１０２ａは、書込処理部１０２ｋ、プリンタ制御部１０２ｅ、及びＦＳ制御部１０２ｍに対する制御信号の出力を停止する。制御信号の出力を停止すると、ジョブキュー内の印刷処理を実行していたプリントジョブに中断フラグを立てる。
【００９２】
印刷処理を停止させると、通常割込要求を含むプリントジョブの印刷処理を実行する（Ｓ０７）。演算制御部１０２ａは、通常割込要求を含むプリントジョブに係る画像データを指示し、書込処理部１０２ｋ、プリンタ制御部１０２ｅ、及びＦＳ制御部１０２ｍに対して記録媒体１枚毎に制御信号を出力する。この制御信号と同期して印刷処理中のページ及び部数を示す数値をカウントアップしてジョブキューを更新する。
【００９３】
通常割込要求を含むプリントジョブの印刷処理は、プリントジョブに含まれる部数の印刷条件に到達するまでなされる（Ｓ０８，Ｎｏ）。演算制御部１０２ａは、ページ及び部数をカウントアップする毎に、部数の印刷条件と比較し、部数の印刷条件とカウントアップしている部数が一致すると、プリントジョブの印刷処理終了と判断する。
【００９４】
通常割込要求を含むプリントジョブの印刷処理が終了すると（Ｓ０８，Ｙｅｓ）、停止していたプリントジョブの印刷処理を再開する（Ｓ０９）。演算制御部１０２ａは、ジョブキューを参照して中断フラグを検索し、中断フラグが立てられたプリントジョブに係る画像データを指示し、書込処理部１０２ｋ、プリンタ制御部１０２ｅ、及びＦＳ制御部１０２ｍに対して記録媒体１枚毎に制御信号を出力する。この制御信号と同期して印刷処理中のページ及び部数を示す数値のカウントアップを再開する。
【００９５】
尚、そもそも印刷処理実行中のプリントジョブに割込要求が含まれている場合には、新たに入力されたプリントジョブに割込要求が含まれていても、印刷処理実行中のプリントジョブと新たに入力されたプリントジョブとの関係において、先入れ先出し方式を採用してもよい。
【００９６】
このプリントジョブの管理よっては、製本装置２００の各種製本機能に一対一で対応して記録媒体がストックされる場合、処理実行中のプリントジョブと割込要求のあるプリントジョブの製本内容が異なれば、直ちに割り込み処理をする。従って、処理実行中のプリントジョブに不都合な影響を低減しつつ、割込要求のあるプリントジョブを迅速に割込処理することが可能となり、効率のよい割り込み印刷を実現することができる。
【００９７】
図７及び図８は、このプリントジョブの管理の具体例を示す模式図である。
【００９８】
図７の（ａ）は、通常割込要求のあるプリントジョブを示し、図７の（ｂ）若しくは（ｃ）は、印刷処理実行中のプリントジョブを示す。
【００９９】
例えば、図７の（ａ）に示すように、通常割込要求のあるプリントジョブには、製本内容として「ステープル処理」が記述されている。また、図７の（ｂ）に示す印刷処理実行中の第１例のプリントジョブには、製本内容である「ステープル処理」が記述されている。
【０１００】
通常割込要求のあるプリントジョブに係る製本内容と印刷処理実行中の第１例のプリントジョブに係る製本内容を読み出して比較すると、双方が「ステープル処理」であり、製本内容が同一となる。
【０１０１】
この場合、通常割込要求のあるプリントジョブを処理するために紙媒体がストックされる箇所は同一となるため、第１例のプリントジョブは、印刷物一部の区切りまで印刷処理される。第１例のプリントジョブが印刷物一部の区切りまで印刷処理されると、第１例のプリントジョブを停止し、通常割込要求のあるプリントジョブの印刷処理を実行させる。
【０１０２】
従って、第１例のプリントジョブに係る印刷物と通常割込要求のあるプリントジョブの印刷物が混在して製本処理された印刷物一部が作成されることなく、又は第１例のプリントジョブに係る印刷物一部が未完成で排出されることなく、迅速に割り込み処理が可能となる。
【０１０３】
また、図７の（ｃ）に示す印刷処理実行中の第２例のプリントジョブには、製本処理として「パンチ穴穿孔処理」が記述されている。
【０１０４】
通常割込要求のあるプリントジョブに係る製本内容と印刷処理実行中の第２例のプリントジョブに係る製本内容を読み出して比較すると、前者が「ステープル処理」であり、後者が「パンチ穴穿孔処理」であるため、製本内容が異なる。
【０１０５】
この場合、通常割込要求のあるプリントジョブを処理するために紙媒体がストックされる箇所は異なるため、第２例のプリントジョブを直ちに停止し、通常割込要求のあるプリントジョブの印刷処理を実行させる。
【０１０６】
従って、第２例のプリントジョブに係る印刷物と割込要求のあるプリントジョブの印刷物が混在して製本処理された印刷物一部が作成されることなく、又は第１例のプリントジョブに係る印刷物一部が未完成で排出されることなく、迅速に割り込み処理が可能となる。
【０１０７】
図８の（ａ）は、緊急割込要求のあるプリントジョブを示し、図８の（ｂ）は、印刷処理実行中のプリントジョブを示す。例えば、図８の（ａ）に示すように、緊急割込要求のあるプリントジョブには、製本内容として「ステープル処理」が記述されている。また、図８の（ｂ）に示す印刷処理実行中の第３例のプリントジョブには、製本内容である「ステープル処理」が記述されている。
【０１０８】
プリントジョブに緊急を示す緊急割込要求があると、緊急割込要求のあるプリントジョブと印刷処理実行中のプリントジョブの製本内容の同一又は相違に関わらず、第３例のプリントジョブを直ちに停止し、割込要求のあるプリントジョブの印刷処理を実行させる。
【０１０９】
従って、第３例のプリントジョブに係る印刷物一部は未完成で排出されるが、緊急割込要求のあるプリントジョブは、迅速に割り込み処理が可能となる。
【０１１０】
尚、本実施形態では、単一の製本機構を有する各種製本装置２００を一連に連結するようにしたが、一台の製本装置２００が連結される場合であっても、その製本装置２００が、各種製本機構と当該製本機構に一対一で対応したストック部とを有する装置であれば本実施形態のジョブ管理によって同一の作用効果を実現することができる。
【０１１１】
また、プリントコントローラ４００は、画像形成装置１００に内蔵されていてもよく、プリントコントローラ４００の機能を実現させるプログラムを演算制御部１０２ａに解読及び実行させて、演算制御部１０２ａがプリントコントローラ４００の機能を有するようにしてもよい。
【０１１２】
本実施形態では、プリントジョブが入力された時点で割込要求に係る製本内容の比較を行う態様を示した。その他にも既にジョブキューで管理済みのプリントジョブがプリントコントローラ４００や操作パネル１０８によって変更され、割込要求が加えられた場合であっても、その時点で製本内容の比較を行い割り込み処理の判断をするようにしてもよい。即ち、管理するプリントジョブに割込要求が含まれれば、どの時点であっても割り込み処理に係る判断を行ってもよい。
【図面の簡単な説明】
【０１１３】
【図１】本実施形態に係る画像形成装置が含まれるネットワークの構成図である。
【図２】画像形成装置の内部構成例を示す模式図である。
【図３】製本装置の内部構成例を示す模式図である。
【図４】画像形成装置に搭載される制御ユニットの制御系を示すブロック図である。
【図５】画像形成装置が有する演算制御部の機能構成を示すブロック図である。
【図６】プリントジョブの管理に係る動作を示すフローチャートである。
【図７】プリントジョブの管理の第１の具体例を示す模式図である。
【図８】プリントジョブの管理の第２の具体例を示す模式図である。
【符号の説明】
【０１１４】
１０    印刷制御部
１１    判断部
１２    ジョブ管理部
１００  画像形成装置
１００ｂ  画像読取装置
１０２  制御ユニット
１０２ａ  演算制御部
１０２ｅ  プリンタ制御部
１０２ｆ  読取処理部
１０２ｈ  画像メモリ
１０２ｋ  書込処理部
１０２Ｌ  メモリ
１０２ｍ  ＦＳ制御部
１０３  紙媒体収容部
１０８  操作パネル
２００  製本装置
３００  コンピュータ端末
４００  プリントコントローラ
【図１】
2008006629.tif 000003
【図２】
2008006629.tif 000004
【図３】
2008006629.tif 000005
【図４】
2008006629.tif 000006
【図５】
2008006629.tif 000007
【図６】
2008006629.tif 000008
【図７】
2008006629.tif 000009
【図８】
2008006629.tif 000010